(57)【要約】  【課題】  導線を容易に定位置し、かつ接続にショートが起こさない電気コネクターを提供する。  【解決手段】  電気コネクターの一種で、それは複数導線のある電線との接続に供され、その電気コネクターは絶縁ケーシング及び複数の端子を含む。絶縁ケーシングには複数の定位置溝があり、その定位置溝は第一斜面及びその第一斜面とある角度を現して連接する第二斜面から構成され、端子は絶縁ケーシングに定位置し、各端子には接触部とその接触部から延伸してある角度を捻じ曲げた接続部があり、その接続部は第一斜面に接近し、そのために接続部と第二斜面は対応するその導線の定位置に供され、並びにその接続部と接触しやすい楔形空間を構成する。【選択図】    図５
0003111662.tif 000002
【実用新案登録請求の範囲】
【請求項１】
複数の導線がある電線との接続に供される電気コネクターであって、
複数の定位置溝があり、その定位置溝は第一斜面と第一斜面に対して所定の角度を有して連接する第二斜面とから構成される絶縁ケーシングと、
絶縁ケーシングに定位置され、その各々には接触部とその接触部から延伸して所定の角度で捻じ曲げられた接続部があり、その接続部は第一斜面に接近し、それにより接続部と第二斜面は対応する導線を定位置に保持するのに供され、そしてその接続部と接触しやすい楔形空間を構成する複数の端子と
を含む、電気コネクター。
【請求項２】
請求項１に記載の電気コネクターであって、その中、その絶縁ケーシングは台、保護カバー及び定位置カバーを含み、その台はそれら端子を結合固定し、それにより各端子の接触部と接続部はそれぞれ台の前後反対両側に位置し、保護カバーに容置空間を設けられることにより保護カバーは台の前端と組み合わせることができ、また、それら定位置溝は定位置カバーに形成され、それにより定位置カバーは台と組み合わせてそれら端子の接続部を対応する定位置溝内に位置することができる、電気コネクター。
【請求項３】
請求項２に記載の電気コネクターであって、その中、その定位置カバーには凹溝が設けられ、凹溝はアース・シートを定位置し、四つの特定した端子と電気的に接続することができる、電気コネクター。
【請求項４】
請求項２に記載の電気コネクターであって、その中、その台は更に互いに結合することができる第一分部と第二分部を有し、その第一分部と第二分部はそれぞれ一部の端子を固定する、電気コネクター。
【考案の詳細な説明】
【技術分野】
【０００１】
本考案は、電気コネクターに関するもので、特に高画質マルチメディア・インタフエース（High Definition Multimedia Interface，HDMI）に応用される電気コネクターに関するものである。
【背景技術】
【０００２】
デジタル家電の普及により、例えばデジタル・テレビ、DVDプレーヤ、DVDレコーダ・プレーヤ、PVR、ビデオ信号転換器（set-top Box）及びその他デジタルビデオ・オーディオ製品中の高解析度及び高ハイフアイに対する要求がますます切なる状況下に於いて、圧縮されていない高画質ビデオ・バンドやマルチ・トラック信号を伝送することができるHDMIインタフエースは逐次主流になっている。
【０００３】
図１及び図２はHDMI電気コネクターの外観構造を簡単に説明するための図で、それには絶縁ケーシング８及び絶縁ケーシング８に定位置された複数の端子りが含まれ、端子９の一端は絶縁ケーシング８の−側から突き出して接続端を形成し、電線内の複数の導線７はそれによって対応する接続端別に対応して接続することができる。
【０００４】
ところが、電気コネクターのサイズが大きくなく、端子９の数が多いので、端子９と端子９の間隔がかなり小さくなり、かつ各端子０の接続端別は平行して宙ぶらりんに排列する形態に現れる。このため、電線の対応する導線７と接続する場合、導線７を定位置する機構がなく、一度に一本の導線７しか接続することができなく、かつ接続端別は互いの間隔が小さいので接続時はショートする現象が発生しやすい（図３に示す如く）。そのためにこのような電気コネクターは製造効率がよくなく、製品の歩留まりも上げることができない。
【考案の開示】
【考案が解決しようとする課題】
【０００５】
本考案はこのような問題点に鑑みて考案したものであって、本考案の主な目的は導線を容易に定位置し、かつ接続にショートが起こさない電気コネクターの提供である。
【課題を解決するための手段】
【０００６】
そこで、上記目的を達成するため、本考案の電気コネクターは、複数の導線を有する電線との接続に供されるものであり、その電気コネクターは絶縁ケーシング及び複数の端子を含む。絶縁ケーシングには複数の定位置溝があり、その定位置溝は第一斜面とその第一斜面に対して所定の角度を有して連接する第二斜面とから構成される。端子は絶縁ケーシングに定位置し、各端子には接触部とその接触部から延伸してある角度を捻じ曲げた接続部があり、その接続部は第一斜面に接近し、そのために接続部と第二斜面は対応するその導線の定位置に供され、その接続部と接触しやすい楔形空間を構成する。
【考案の効果】
【０００７】
本考案の電気コネクターによれば、定位置溝内で端子と導線の接続を行うことにより、導線を容易に定位置し、かつ接続にショートが起こさないように両者間を接続することができる。
【考案を実施するための最良の形態】
【０００８】
本考案の実施の形態について、以下、図面を参照して説明する。
【０００９】
第４−６図に示すように、本考案の実施例による電気コネクターはHDMI仕様に応用されて複数導線１のある電線との接続に供される。その電気コネクターは絶縁ケーシング２及び複数の端子３を含む。
【００１０】
各端子３には接触部３１とその接触部３１から延伸してその接触部３１の延伸平面に対して４５度角を捻じ曲げた接続部３２がある。
【００１１】
絶縁ケーシング２には台２１、保護カバー２２及び定位置カバー２３が含まれ、その台２１には更に互いに結合することができる第一分部２１１と第二分部２１２があり、その第一分部２１１と第二分部２１２はそれぞれ内型成型方式をもって一部の端子３を固定し、そのために各端子３の接触部３１と接続部３２はそれぞれ台２１の前後反対両側に位置し、保護カバー２２には容置空間２２０があるので保護カバー２２は台２１の前端と組み合わせることができ、それら端子３の接触部３１は容置空間２２０内に位置されて対応する電気コネクターと互いに挿入接続することができる。
【００１２】
この外、定位置カバー２３の各端子３の接続部３２に対応する位置には複数の定位置溝が形成され、定位置溝は第一斜面２３１及びその第一斜面２３１と９０度角に現れて連接する第二斜面２３２から構成され（図７を参照ください）、定位置カバー２３と台２１の後端が組み合わせられると、各端子３の接続部３２は対応する定位置溝内に位置される。
【００１３】
組合した後、４５度角を捻じ曲げた端子３の接続部３２はは第一斜面２３１に接近しているので、接続部３２と第二斜面２３２は楔形空間を構成し、複数の楔形空間は定位置カバー２３の上下両側で鋸歯のように構成することができるので、対応の導線１を対応する楔形空間内に置くと、それの形状は導線１を容易に定位置することができ、かつ接続部３２と接触して接続することができる。また、第二斜面２３２は別の隣接する接続部３２と阻隔作用を形成するので、周知のような接続時にショートが起こる欠点は発生することがない。
【００１４】
この外、定位置カバー２３には凹溝２３３が設けられ、凹溝２３３はアース・シート２３４を定位置することができ、四つの端子３と電気的に接続してアースの作用を形成し、定位置カバー２３の付加効果になる。
【産業上の利用可能性】
【００１５】
本考案は種々のデジタル家電に利用することができる。
【００１６】
なお、上記は本考案の実施例にすぎず、簡単な改修及び効果の変化設計などは本考案の範囲内に含まれるものとする。
【図面の簡単な説明】
【００１７】
【図１】従来の電気コネクターの平面図である。
【図２】従来の電気コネクターの後端部分の側面図である。
【図３】従来の端子と導線の接続の状態を示す図である。
【図４】本考案の電気コネクターの最適実施例を示す分解斜視図である。
【図５】本考案の電気コネクターの最適実施例を別の角度から見た分解斜視図である。
【図６】本考案の電気コネクターの最適実施例の組合せ後の状態を示す斜視図である。
【図７】本考案の電気コネクターの最適実施例の導線と端子を接続した状態を示す斜視図である。
【図８】本考案の電気コネクターの最適実施例の導線と端子を接続した状態を示す断面図である。
【符号の説明】
【００１８】
１    導線                            ２    絶縁ケーシング
２１    台                          ２１１    第一分部
２１２    第二分部                      ２２    保護カバー
２２０    容置空間                      ２３    定位置カバー
２３１    第一斜面                    ２３２    第二斜面
２３３    凹溝                        ２３４    アース・シート
３    端子                          ３１    接触部
３２    接続部                          ７    導線
８    絶縁ケーシング                  ９    端子
９１    接続端
【図１】
0003111662.tif 000003
【図２】
0003111662.tif 000004
【図３】
0003111662.tif 000005
【図４】
0003111662.tif 000006
【図５】
0003111662.tif 000007
【図６】
0003111662.tif 000008
【図７】
0003111662.tif 000009
【図８】
0003111662.tif 000010